(57)【要約】【課題】簡単に陳列形態に変形でき、訴求力の高い陳列を行うことができる表示機能付陳列箱を提供する。【解決手段】前壁１、一対の側壁２及び後壁３を連設し、底面を閉じる底板５，６及び開閉自在の蓋７を設け、印刷した表示部１０を両側面から見えるように前方へ突き出させて、陳列効果を高める表示機能付包装箱において、前記表示部１０は、前壁１に側壁２との連設部へかけて切目９を入れることにより形成し、この表示部１０に両面印刷を施しておき、陳列に際しては、表示部１０を側方へ切り開くようにする。【選択図】　図３
2004075119.tif 000002
【特許請求の範囲】
【請求項１】
前壁１、一対の側壁２及び後壁３を連設し、底面を閉じる底板５，６及び開閉自在の蓋７を設け、印刷した表示部１０を両側面から見えるように前方へ突き出させて、陳列効果を高める表示機能付包装箱において、前記表示部１０は、前壁１に側壁２との連設部へかけて切目９を入れることにより形成し、この表示部１０に両面印刷を施しておき、陳列に際しては、表示部１０を側方へ切り開くようにしたことを特徴とする表示機能付包装箱。
【請求項２】
前壁１、一対の側壁２及び後壁３を連設し、底面を閉じる底板５，６及び開閉自在の蓋７を設け、印刷した表示部１０を手前に折り曲げて正面上方から見えるように傾斜状態で前方へ突き出させて、陳列効果を高める表示機能付包装箱において、前記表示部１０に両面印刷を施しておき、表示部１０の基部に２本の平行な横罫線１７を入れ、その側方を切り込んで各横罫線１７から互い違いに係止片１８，１９を形成し、係止片１８，１９の係合に伴い、手前に折り曲げた表示部１０を戻り止めすることを特徴とする表示機能付包装箱。
【請求項３】
前壁１、一対の側壁２及び後壁３を連設し、底面を閉じる底板５，６及び開閉自在の蓋７を設け、印刷した表示部１０を両側面から見えるように前方へ突き出させて、陳列効果を高める表示機能付包装箱において、前記表示部１０は、蓋７の下方に重なるように、側壁２から前壁１の上部を介して繋がったフラップ状部分とし、この表示部１０に両面印刷を施して、前縁から側縁へ至る斜罫線２１を入れ、陳列に際しては、表示部１０を斜罫線２１沿いに捻るように折り曲げて、その基部を側壁２の差込穴２２に差し込むことを特徴とする表示機能付包装箱。
【発明の詳細な説明】
【０００１】
【発明の属する技術分野】
この発明は、商品を輸送する際に包装し、店頭で陳列する際に開口させて広告を表示する紙箱に関するものである。
【０００２】
【従来の技術】
本出願人は、特願平１１−３６２９０５（特開２００１−１７１６５３）において、図１０に示すような表示機能付包装箱を提案している。この包装箱は、前壁５１、一対の側壁５２及び後壁５３を連設し、底面を閉じる底板５４及び前壁５１に繋がる蓋５５を設け、前壁５１から蓋５５にかけて形成した表示部５６の表面に広告を印刷し、その側縁に表示部材５７を連設して構成される。
【０００３】
そして、商品の陳列に際しては、蓋５５を開いて、一対の側壁５２の上部を切断し、表示部５６を折り重ねて、正面上方から見えるように傾斜状態で前方に突き出させると共に、表示部材５７を二つ折りして両側面から見えるように表示部５６の側縁から突出させる。
【０００４】
【発明が解決しようとする課題】
しかしながら、上記のような包装箱は、構造が複雑で、陳列時の変形に手間がかかり、この作業が敬遠されて、所定の形態で陳列されない場合も考えられる。
【０００５】
そこで、この発明は、簡単に陳列形態に変形でき、訴求力の高い陳列を行うことができる表示機能付陳列箱を提供することを課題とする。
【０００６】
【課題を解決するための手段】
上記課題を解決するため、この発明に係る表示機能付包装箱は、表示部に両面印刷を施し、表示部を複雑に折り重ねることなく、開くだけで視認性に優れた陳列状態に変形できるようにしたのである。
【０００７】
【発明の実施の形態】
まず、この発明の第１実施形態を図１乃至図３に基づいて説明する。
【０００８】
この包装箱のブランクでは、図１に示すように、前壁１の両側に側壁２が連設され、一方の側壁２の外縁には後壁３が、他方の側壁２の外縁には継代４がそれぞれ連設されている。前壁１及び後壁３の下縁には底板５が、側壁２の下縁には底板６がそれぞれ連設され、後壁３の上縁には蓋７が、側壁２の上縁にはフラップ８がそれぞれ連設されている。
【０００９】
前壁１の一側には、隣接する側壁２へかけて切目９を入れることにより表示部１０が形成され、この表示部１０には商品の広告が両面に印刷されている。表示部１０の基端下部には、隣接する側壁２へ跨って振止片１１が設けられ、一方の側壁２には、後上角から斜前下方へ延びて切目９に繋がる切目１２が入れられている。また、蓋７の中間部には横方向の折目１３が、先端の差入部１４には差込片１５が設けられ、後壁３には差込穴１６が設けられている。
【００１０】
上記ブランクを組み立てて商品を包装するには、図２に示すように、前壁１から一対の側壁２及び後壁３を折り曲げ、継代４を後壁３に貼り付けて周壁を形成し、底板５，６を一組ずつ貼り付けて噛み合わせることにより底面を閉止し、箱内に商品を収納した後、フラップ８を内側へ折り曲げ、蓋７を閉じて差入部１４を前壁１とフラップ８の間に差し込んで封緘する。
【００１１】
一方、店頭で商品を陳列する際には、図３に示すように、蓋７を開いて、切目１２を切断することにより、一方の側壁２の上部を前壁１の一側部と共に切り取り、次いで、切目９を切断し、表示部１０を側方へ開いて前方に突き出させ、振止片１１を折り曲げて、表示部１０の揺動を防止すると共に、蓋７を折目１３に沿って二つ折りにし、差込片１５を差込穴１６に差し込んで、蓋７の起立状態を保持する。
【００１２】
このように、上記包装箱は、表示部１０を複雑に折り重ねることなく、側方へ開くだけで、表示部１０の広告が両側面から見える陳列状態に変形できるので、小売店の店頭における陳列時の作業性が改善され、所定の形態で陳列される可能性が高くなり、販売促進効果が期待できる。
【００１３】
次に、この発明の第２実施形態を、図４乃至図６に基づいて、上記第１実施形態と異なる点を中心に説明する。
【００１４】
この包装箱のブランクでは、図４に示すように、前壁１と両側壁２の境界に切目９を入れて表示部１０が形成され、表示部１０の基部に入れた２本の平行な横罫線１７の側方を切り込んで、各横罫線１７から互い違いに係止片１８，１９が形成されている。表示部１０の基端折目は、係止片１９から外側へかけてやや上方へ傾斜し、各側壁２に入れた切目１２に繋がっている。表示部１０の中間部には、横方向の折目２０が設けられている。
【００１５】
上記ブランクを図５に示すように組み立てて商品を包装し、小売店へ配送して商品を店頭で陳列する際には、図６に示すように、蓋７を開き、切目１２を切断して両側壁２の上部を除去し、次いで、切目９を切断し、表示部１０を手前に折り曲げて傾斜状態で前方へ突き出させる。このとき、係止片１８，１９が係合して、手前に折り曲げた表示部１０が戻り止めされる。
【００１６】
このように、上記包装箱は、表示部１０を複雑に折り重ねることなく、手前に折り曲げるだけで、表示部１０の広告が正面上方から見える陳列状態に変形できるので、小売店の店頭における陳列時の作業性が改善され、所定の形態で陳列される可能性が高くなり、販売促進効果が期待できる。なお、表示部１０を折目２０沿いに折り曲げて、角度をつけることもできる。
【００１７】
次に、この発明の第３実施形態を、図７乃至図９に基づいて、上記第１実施形態と異なる点を中心に説明する。
【００１８】
この包装箱のブランクでは、図７に示すように、表示部１０が一方の側壁２の上部から前壁１の一側上部を介して繋がったフラップ状部分とされ、切目９が前壁１の上部から一側を経て下部を横切り、他方の側壁２の切目１２に繋がっている。表示部１０の基部には、前縁から側縁へ至る斜罫線２１が入れられ、一方の側壁２の前部には差込穴２２が形成されている。また、蓋７は一方の側壁２の上縁に連設され、その境界には切目２３が入れられている。
【００１９】
上記ブランクを図８に示すように組み立てて商品を包装し、小売店へ配送して商品を店頭で陳列する際には、蓋７を開いて切目２３沿いに切断し、次いで、図９に示すように、切目９及び切目１２を切断して、前壁１及び他方の側壁２の上部を除去し、表示部１０を斜罫線２１沿いに捻るように折り曲げて、その基部を側壁２の差込穴２２に差し込み、表示部１０の揺動を防止する。
【００２０】
このように、上記包装箱は、表示部１０を複雑に折り重ねることなく、捻るように折り曲げるだけで、表示部１０の広告が両側面から見える陳列状態に変形できるので、小売店の店頭における陳列時の作業性が改善され、所定の形態で陳列される可能性が高くなり、販売促進効果が期待できる。
【００２１】
なお、上記陳列状態において、図９に示すように、表示部１０の基端下部の延長片２４を、側壁２の前部の切込２５に差し込んでおくと、表示部１０の揺動が上部及び下部で確実に防止される。
【００２２】
【発明の効果】
以上のように、この発明に係る表示機能付包装箱では、表示部に両面印刷を施し、表示部を複雑に折り重ねることなく、開くだけで視認性に優れた陳列状態に変形できるようにしたので、小売店の店頭における陳列時の作業性が改善され、所定の形態で陳列される可能性が高くなり、販売促進効果が期待できる。
【図面の簡単な説明】
【図１】この発明に係る表示機能付陳列箱の第１実施形態のブランクを示す図
【図２】同上の包装状態を示す斜視図
【図３】同上の陳列状態を示す斜視図
【図４】この発明に係る表示機能付陳列箱の第２実施形態のブランクを示す図
【図５】同上の包装状態を示す斜視図
【図６】同上の陳列状態を示す斜視図
【図７】この発明に係る表示機能付陳列箱の第３実施形態のブランクを示す図
【図８】同上の包装状態を示す斜視図
【図９】同上の陳列状態を示す斜視図
【図１０】従来の表示機能付陳列箱の陳列状態を示す斜視図
【符号の説明】
１　前壁
２　側壁
３　後壁
５，６　底板
７　蓋
９，１２　切目
１０　表示部
１１　振止片
１７　横罫線
１８，１９　係止片
２１　斜罫線
２２　差込穴
【図１】
2004075119.tif 000003
【図２】
2004075119.tif 000004
【図３】
2004075119.tif 000005
【図４】
2004075119.tif 000006
【図５】
2004075119.tif 000007
【図６】
2004075119.tif 000008
【図７】
2004075119.tif 000009
【図８】
2004075119.tif 000010
【図９】
2004075119.tif 000011
【図１０】
2004075119.tif 000012